(57)【要約】【課題】戸板への取付は工具不要で容易にし、建物の開口部へ簡単に戸板を取り付けることのできる戸板取付具を提供する。【解決手段】建物の開口部５へ開閉自在に取り付ける戸板２，３の上端面６に旋回ピン８を枢着する取付部１６と、建物の開口部上縁に固着したガイドレール９へ下方から嵌入する凸部材１０を、この戸板２，３の裏面側で前記旋回ピン８を軸に旋回する案内部１３とからなる戸板取付具１において、案内部１３は凸部材１０を上方へ付勢して弾支した戸板取付具１である。【選択図】        図１
2004270380.tif 000002
【特許請求の範囲】
【請求項１】
建物の開口部へ開閉自在に取り付ける戸板の上端面に旋回ピンを枢着する取付部と、建物の開口部上縁に固着したガイドレールへ下方から嵌入する凸部材を、該戸板の裏面側で前記旋回ピンを軸に旋回させる案内部とからなる戸板取付具において、案内部は凸部材を上方へ付勢して弾支してなる戸板取付具。
【請求項２】
案内部は、凸部材を収納して該凸部材の昇降方向及び昇降範囲を規制する案内本体に対して該凸部材を上方へ付勢して弾支してなる請求項１記載の戸板取付具。
【請求項３】
取付部は、戸板の上端面へ一体に嵌合する取付基部と、旋回ピンを突設するピン基部とからなり、取付基部は旋回ピンが貫通する深さで穿孔した軸孔にキー溝を刻設し、ピン基部は軸孔より深い位置の旋回ピンの側面から係止ピンを突出してなり、キー溝及び係止ピンは戸板の開閉操作に従う旋回ピンの通常旋回範囲外で水平位置を一致し、軸孔に旋回ピンを抜差自在となる位置関係にある請求項１記載の戸板取付具。
【請求項４】
案内部は、ガイドレールに嵌入した凸部材から該ガイドレールの内側壁に向けて出没する脱落防止材を該凸部材に設けてなる請求項１記載の戸板取付具。
【請求項５】
脱落防止材は、移動片及び係合片からなる断面Ｌ字状板材であり、凸部材へ差し込んだ調整ネジに前記移動片を螺合し、係合片を該凸部材から水平方向に突出してなる請求項１記載の戸板取付具。
【請求項６】
建物の開口部へ屈曲自在に取り付ける折戸用の一対の戸板と、前記開口部上縁に固着したガイドレールと、前記各戸板の外側端部の上端面に枢着してガイドレールへ嵌合する戸板取付具とからなる扉開閉装置において、各戸板取付具はガイドレールへ下方から嵌入する凸部材を上方へ付勢して弾支したことを特徴とする建物の開口部に折戸を取り付けた扉開閉装置。
【請求項７】
建物の開口部へ開閉自在に取り付ける開き戸用の戸板と、前記開口部上縁に固着したガイドレールと、前記戸板の上端面の一端に枢着してガイドレールへ嵌合する戸板取付具とからなる扉開閉装置において、各戸板取付具はガイドレールへ下方から嵌入する凸部材を上方へ付勢して弾支したことを特徴とする建物の開口部に開き戸を取り付けた扉開閉装置。
【発明の詳細な説明】
【０００１】
【発明の属する技術分野】
本発明は、クローゼットや部屋の間仕切り等である建物の開口部に、折戸又は開き戸の戸板を開閉自在に取り付ける戸板取付具と、この戸板取付具を用いて建物の開口部に折戸又は開き戸を取り付けた扉開閉装置に関する。
【０００２】
【従来の技術】
クローゼットや部屋の間仕切り等、建物の開口部に、折戸又は開き戸の戸板を開閉自在に取り付ける戸板取付具は、輸送及び梱包効率を高めるため、施工現場で各戸板に取り付ける場合が一般的である。例えば、特許文献１に見られる戸板取付具（折戸用金具）は、縦板部を折戸（戸板）の上端部背面に宛い、取付孔を通じて螺着する皿ネジにより締め付けて、取り付ける。また、折戸（戸板）を据え付ける折には、ガイドピース（戸板取付具）の凸部（凸部材）をレール（開口部下縁に固着したガイドレール）に嵌め、次いで折戸（戸板）を持ち上げながら折戸（戸板）の下端部背面に取り付けた戸車をレールに載せる。
【０００３】
【特許文献１】
特許第３３１２０２１号公報（３〜６頁、図９）
【０００４】
【発明が解決しようとする課題】
特許文献１が提案する戸板取付具は、作業上又は構造上にいくつかの問題点があった。まず、作業上の問題点として、戸板に取り付ける多数の皿ネジを必要とし、上述のような現場での取付作業としては煩わしく、ドライバーがなければ取付作業ができない点を挙げることができる。また、建物の開口部に戸板を取り付ける作業は、重い戸板を持ち上げる労力を課すほか、例えばガイドレールにうまく凸部材を嵌入できず、戸板を転倒させるという危険性を招く点も指摘することができる。
【０００５】
次に、構造上の問題点として、ガイドレールに対する凸部材の嵌入量を適当に設定しにくい点を挙げることができる。上記戸板の取付作業からも分かるように、戸板取付具の凸部材は、取付に際して深くガイドレールに嵌入でき、取付後はガイドレールに対して下がりながらも必要十分に係合していることが望ましい。
【０００６】
しかし、建物の開口部は寸法精度が低く、開口部上縁（鴨居）に固着するガイドレールの高さがばらつく結果、ガイドレールに対する凸部材の嵌入量の適当な設定ができなかった。また、こうしたガイドレール及び凸部材の関係は、戸車が外れる程度に凸部材がガイドレール内に嵌入する虞れを残し、戸板が外れる危険性を招いていた。このため、従来の戸板には別途戸車側に高さ調整手段を設ける例が少なくなかった。
【０００７】
このように、従来の戸板取付具には、作業上及び構造上の問題点があり、改善が望まれていた。そこで、戸板への取付は工具不要で容易にし、建物の開口部へ簡単に戸板を取り付けることのできる戸板取付具を開発するため、検討した。特に、ガイドレールに嵌入する凸部材について構造を検討し、戸板の取付作業を容易にすると共に、ガイドレールに対する適当な嵌入量を実現しやすい構造を目標として検討した。
【０００８】
【課題を解決するための手段】
検討の結果開発したものが、建物の開口部へ開閉自在に取り付ける戸板の上端面に旋回ピンを枢着する取付部と、建物の開口部上縁に固着したガイドレールへ下方から嵌入する凸部材を、この戸板の裏面側で前記旋回ピンを軸に旋回させる案内部とからなる戸板取付具において、案内部は凸部材を上方へ付勢して弾支した戸板取付具である。これは、戸板上端部をガイドレール前面側に配置して戸板を開口部に取り付けるアウターセット扉用の戸板取付具である。この戸板取付具は戸板の裏面側に隠れて前面からはほとんど見えない。
【０００９】
具体的な案内部は、凸部材を収納してこの凸部材の昇降方向及び昇降範囲を規制する案内本体に対してこの凸部材を上方へ付勢して弾支する構成がよい。
【００１０】
本発明の戸板取付具は、戸板の上端面に旋回ピンを枢着する取付部の前記旋回ピンを介して案内部を旋回自在に戸板に取り付ける。旋回ピンは上方から下方に向けて前記上端面に差し込むことになるので、通常上端面から容易に離脱しない。これから、この取付部は、単に上端面へ旋回ピンを旋回自在に差し込む構成でよい。これにより、戸板に対する戸板取付具の取付は容易になり、例えば戸板には旋回ピンを差し込む軸孔だけを穿孔しておけばよいことになる。しかし、戸板に対する戸板取付具の取付安定性を鑑みた場合、取付部は抜止状態で上端面へ旋回ピンを旋回自在に差し込む構成にすることが好ましい。
【００１１】
具体的な取付部は、戸板の上端面へ一体に嵌合する取付基部と、旋回ピンを突設するピン基部とからなり、取付基部は旋回ピンが貫通する深さで穿孔した軸孔にキー溝を刻設し、ピン基部は軸孔より深い位置の旋回ピンの側面から係止ピンを突出してなり、キー溝及び係止ピンは戸板の開閉操作に従う旋回ピンの通常旋回範囲外で水平位置を一致し、軸孔に旋回ピンを抜差自在となる位置関係にある構成とする。
【００１２】
上記取付部は、旋回ピンを差し込む軸孔を穿孔した取付基部を戸板の上端面へ一体に嵌合することで、抜止状態で旋回ピンを差し込む軸孔構造を容易に実現し、上端面に対する加工の手間を低減する。係止ピンを設けた旋回ピンは、軸孔のキー溝と前記係止ピンとが一致しない限り、抜け止めが図られる。
【００１３】
ここで、前記キー溝と係止ピンとが戸板の開閉操作に従う旋回ピンの通常旋回範囲外で一致する位置関係であれば、戸板の通常使用時には、旋回ピンが軸孔から不用意に離脱する虞れを防止できる。ピン基部を取付基部に取り付ける際は、旋回ピンの旋回範囲に制約がないため、前記のようなキー溝及び係止ピンの位置関係でも、軸孔へ旋回ピンを差し込むことは容易であるため、戸板取付具を戸板へ容易に取り付ける利便性は損ねない。
【００１４】
また、本発明の戸板取付具は、従来取付具本体（本発明の案内部に相当）と一体に設けていた凸部材を案内部と別体に構成し、更に案内部に対して上方へ付勢して弾支した。これは、凸部材が案内部に対して出没自在であることを意味する。これにより、案内部から凸部材が大きく突出していても、戸車を開口部下縁に固着したガイドレールに載せるために必要な持ち上げ量を前記凸部材の没入によって確保できる。
【００１５】
このほか、戸板を開口部に取り付ける際、例えば框に当たって没入した凸部材も、ガイドレール直下に至った段階で付勢により自律的に突出してこのガイドレールに嵌入できたり、ガイドレールに対する嵌入量を案内部からの凸部材の突出量で調整できるため、従来のように戸車側に高さ調整手段を設ける必要性を低減又はなくすことができる。
【００１６】
案内部は、ガイドレールに嵌入した凸部材からこのガイドレールの内側壁に向けて出没する脱落防止材をこの凸部材に設けておくとよい。この案内部は、脱落防止材をガイドレールの内側壁に向けて突出させることで、ガイドレール（より具体的にはガイドレールの下縁フランジ）に脱落防止材を係合させ、ガイドレール内における凸部材の自由度を制限することにより、ガイドレールから不用意に凸部材が離脱することを防止できる。
【００１７】
具体的な脱落防止材は、移動片及び係合片からなる断面Ｌ字状板材を例示できる。この脱落防止材は、凸部材に差し込んだ調整ネジに前記移動片を螺合し、係合片をこの凸部材から水平方向に突出して構成する。
【００１８】
上記戸板取付具を用いれば、折戸又は開き戸は次のように構成できる。折戸は、建物の開口部へ屈曲自在に取り付ける折戸用の一対の戸板と、前記開口部上縁に固着したガイドレールと、前記各戸板の外側端部の上端面に枢着してガイドレールへ嵌合する戸板取付具とからなる扉開閉装置において、各戸板取付具はガイドレールへ下方から嵌入する凸部材を上方へ付勢して弾支したことを特徴とする建物の開口部に折戸を取り付けた扉開閉装置となる。
【００１９】
また、開き戸は、建物の開口部へ開閉自在に取り付ける開き戸用の戸板と、前記開口部上縁に固着したガイドレールと、前記戸板の上端面の一端に枢着してガイドレールへ嵌合する戸板取付具とからなる扉開閉装置において、各戸板取付具はガイドレールへ下方から嵌入する凸部材を上方へ付勢して弾支したことを特徴とする建物の開口部に開き戸を取り付けた扉開閉装置となる。
【００２０】
【発明の実施の形態】
以下、本発明の実施形態について図を参照しながら説明する。図１は本例の戸板取付具１を取り付けた固定側及び移動側の戸板２，３からなるアウターセット形の折戸４を建物の開口部５に取り付けた扉開閉装置の側面図、図２は同扉開閉装置の折戸４を閉じた状態を表した平面図、図３は同扉開閉装置の折戸４を開いた状態の上端面６側を表した平面図、図４は同扉開閉装置の折戸４を開いた状態の下端面７側を表した平面図、図５は固定側の戸板２に取り付けた戸板取付具１の正面図、図６は移動側の戸板３に取り付けた戸板取付具１の側面図、図７は図６中Ａ−Ａ断面図、図８は戸板取付具１の分解斜視図、図９は戸板取付具１の戸板２に対する取付関係を表した分解斜視図、図１０は戸板２の開閉操作と旋回ピン８との関係（ａ）戸板取付具１装着時、（ｂ）折戸４閉鎖時及び（ｃ）折戸４開放時それぞれを表した断面図、図１１はガイドレール９に戸板取付具１の凸部材１０を嵌入させているところの状態を表した断面図、図１２はガイドレール９に戸板取付具１の凸部材１０から脱落防止材１１を突出させた状態を表した断面図であり、図１３は別例の取付部を用いて開き戸に取り付けた戸板取付具の戸板に対する取付関係を表した分解斜視図である。
【００２１】
本例の扉開閉装置は、図１〜図４に見られるように、屈曲関係で連結した固定側及び移動側の戸板２，３からなるアウターセット形の折戸４を建物の開口部５に取り付けた構成である。本例では、開口部５上縁にのみガイドレール９を設け、開口部５下端縁は床面１２のままにしている。固定側の戸板２は、図５に見られるように、裏面側に位置する戸板取付具１の案内部１３を、前記ガイドレール９に締着した固着補助具１４に嵌入して拘束し、下端面を開口部５側縁下端位置に固着する旋回受具１５により軸支して取り付けて、旋回のみ可能にする。
【００２２】
移動側の戸板３は、図６に見られるように、上端面６に取り付けた戸板取付具１の凸部材１０を前記ガイドレール９に直接嵌入し、ガイドレール９に沿って移動しながら旋回する。すなわち、本例の扉開閉装置は、折戸４全体としては固定側の戸板２の旋回受具１５で支持されるとともに固着補助具１４により傾倒を防止された状態で旋回し、移動側の戸板３がガイドレール９に案内された状態で折戸４全体として屈曲しながら開閉する構成である。
【００２３】
戸板取付具１は、図７〜図９に見られるように、各戸板２，３の上端面６に対して旋回ピン８を枢着する取付部１６と、ガイドレール９へ下方から嵌入する凸部材１０を上方へ付勢して弾支した案内部１３とからなる。取付部１６は、各戸板２，３に直接穿孔した軸孔に差し込んでもよいが、戸板取付具１の各戸板２，３に対する取付を担う軸孔に対する旋回ピン８の抜け止めを図ることが難しい。
【００２４】
そこで、本例の取付部１６は、各戸板２，３の角部上端面へ一体に嵌合する取付基部１７と、旋回ピン８を突設する平板状のピン基部１８とから構成し、前記取付基部１７にキー溝１９を有する軸孔２０を穿孔している。
【００２５】
取付基部１７は、旋回ピン８が貫通する深さで軸孔２０を穿孔した樹脂製ブロック体で、予め各戸板２，３の角部上端面へ取り付けた状態で戸板内の空間にウレタン樹脂を注入発泡させ接着一体化する。加えて、戸板内にある表面側と裏面側の鋼鈑の突き合わせリブ２１に設けた切欠２２と係合する差し込み溝２３内の係合突起２４により上端面６からの確実な抜け止めを図っている。
【００２６】
図示は省略するが、上端面６を塞ぐ型材（図９参照）の下面側に潜り込む突片を、隣接する取付基部１７の側面から突設して押さえ込む構造にしておくとより確実な抜け止めが図られる。軸孔２０には、点対称位置に一対のキー溝１９，１９を刻設しており、軸孔２０下端に対して軸孔２０断面と同形状の挿通孔２５を設けた金属製抜止板２６を嵌め込んでいる。
【００２７】
金属製抜止板２６は、樹脂製取付基部１７に比べ、係合する旋回ピン８の係止ピン２７との擦れ合いによる磨耗や、旋回ピン８に引き抜き荷重が掛かった際の係止ピン２７による破損がなく、前記係止ピン２７との係合を安定して保つことができる。
【００２８】
ピン基部１８は、案内部１３の案内本体２８から戸板に向かって前方に延設して水平に折り曲げた板面で、旋回ピン８を垂下する基礎である。旋回ピン８は、取付基部１７に穿孔した軸孔２０より深い位置（正確には軸孔２０及び金属製抜止板２６の厚みの合計より深い位置）に係止ピン２７を貫通させ、側面から係止ピン２７の両端を突出させている。戸板取付具１は、各戸板２，３角部の上端面６に嵌合した取付基部１７に対して相対的に、前記旋回ピン８からピン基部１８及び案内部１３が一体に旋回する。
【００２９】
案内部１３は、上記板材からなるピン基部１８を延設する外形箱型の金属製案内本体２８と、この案内本体２８へ昇降自在に嵌め込んだ樹脂ブロックの凸部材１０とからなり、案内本体２８及び凸部材１０の間に上方へ反発するコイルスプリング２９を介装し、凸部材１０を上方へ付勢することにより弾支している。本例では、上面にガイドレール９へ嵌入する一対の凸突起３０，３０を一体に形成した全体が昇降する構成である。
【００３０】
脱落防止材１１は、移動片３１及び係合片３２からなる断面上下反転Ｌ字状金属片である。この脱落防止材１１は、凸突起３０，３０間に嵌め込み、凸部材１０へ水平方向に差し込んだ調整ネジ３３に移動片３１を螺合し、係合片３２のみを凸突起３０，３０間から水平方向に突出可能にしている。
【００３１】
案内本体２８は、コイルスプリング２９の下端を係合する支持突起３４を底面から切り起こし、凸部材１０の昇降方向を規制する平行レール３５，３５と、凸部材１０の逸脱を防止する拘束ピン３６の差込孔３７とを、それぞれ側面に一体成形している。
【００３２】
凸部材１０は、コイルスプリング２９を遊嵌状態で嵌め込むスプリング孔６８を底面から上方に向けて穿孔し、側面には案内本体２８の平行レール３５，３５に規制されるレール溝３８を設けると共に、案内本体２８の側面縁部を抱持するガイドフランジ３９，３９を設け（図７参照）、案内本体２８の差込孔３７から差し込んだ拘束ピン３６を挿通させる上下方向の長孔からなる拘束溝４０を貫設している。凸部材１０は、案内本体２８の平行レールにレール溝３８が従うことで昇降方向が規制され、案内本体２８から差し込んだ拘束ピン３６を拘束溝４０に挿通させることで昇降範囲が規制されている。
【００３３】
本発明の特徴は、軸孔２０に旋回ピン８を抜止状態で差し込むだけで、各戸板２，３の上端面６に戸板取付具１を取り付けることができる点にある。このため、取付に際しては軸孔２０に対して旋回ピン８が抜き差し自在で、通常の扉開閉装置使用時には軸孔２０に対して旋回ピン８が抜止状態にある必要がある。具体的には、軸孔２０に刻設したキー溝１９と旋回ピン８から突出する係止ピン２７との水平面内における位置関係を特定して、前記取付及び抜止の選択を実現する。
【００３４】
戸板取付具１の案内部１３は、ガイドレール９に凸部材１０先端を一対の凸突起３０，３０により回転不能に嵌入するから、ガイドレール９に対して向きを固定することになる。このため、折戸４の開閉操作により各戸板２，３を折り畳むと、案内部１３に対して各戸板２，３の向きが変化し、案内部１３に従う旋回ピン８は戸板２，３に従う取付基部１７の軸孔２０に対して旋回する。この戸板２，３の開閉操作に従う旋回ピン８の軸孔２０に対する通常旋回範囲は、戸板２，３の向きの変化から、およそ０度（各戸板２，３が直線状に並ぶ閉状態）〜９０度（各戸板２，３を折り畳んだ開状態）である。
【００３５】
そこで、本例のキー溝１９と係止ピン２７とは、図１０（ａ）に見られるように、通常旋回範囲外である１３５度（案内部１３と戸板２，３との開度１３５度）の位置関係で一致させて、旋回ピン８を軸孔２０に差し込むようにしている。これにより、戸板２，３の開閉操作に従う旋回ピン８の通常旋回範囲では、図１０（ｂ）及び図１０（ｃ）に見られるように、キー溝１９と係止ピン２７とが一致することはなく、抜け止めを図ることができる。
【００３６】
折戸４全体は固定側の戸板２の下端面７に取り付けた旋回受具１５で軸支持しており、戸板取付具１は折戸４の開閉に際して傾倒し、開口部５から逸脱しないようにする働きが主であるため、キー溝１９から外れた位置における取付基部１７への係止ピン２７の係合だけであっても、戸板２，３に対する戸板取付具１の取付強度に問題はない。
【００３７】
戸板取付具１の取付を終えた各戸板２，３は折り畳んだ状態とし、開口部５下縁（本例では床面１２）に載せた状態で戸板２，３を引き起こし、戸板２の下端面７を旋回受具１５に軸支させておいてから案内部１３をガイドレール９直下へ持ってくる。ここで、コイルスプリング２９により上方へ付勢して弾支した凸部材１０は、常態として凸突起３０，３０を突出させ、そのままではガイドレール９に嵌入できないが、図１１に見られるように、案内本体２８に対して凸部材１０を作業者の手によって押し下げることで凸突起３０，３０をガイドレール９直下にまで持っていき、そのまま凸突起３０，３０を押し下げていた負荷を外すことで、自律的に凸部材１０が復帰して凸突起３０，３０をガイドレール９に嵌入できる（図１２参照）。
【００３８】
凸部材１０は、コイルスプリング２９の付勢により上方に向けて付勢されており、ガイドレール９の下縁フランジ４１に凸突起３０以外の前後の部位を当接する。このため、従来のように戸板２の下端面７（旋回受具１５）側での高さ調整を必要としない。固定側の戸板２側の凸部材１０は、図５から明らかなように、凸突起３０，３０のガイドレール９への嵌入に加え、固着補助具１４への嵌入によって左右位置も規制される。
【００３９】
こうして凸部材１０の凸突起３０，３０をガイドレール９に嵌入できれば、開口部５への戸板２，３の取付は完了する。本発明では、更に戸板２，３の取付安定性を確保するため、ガイドレール９に嵌入した凸突起３０，３０からガイドレール９内に設けた引っ掛かりに向けて脱落防止材１１を突出させる。
【００４０】
本例の場合、調整ネジ３３は凸部材１０に対して位置固定状態に差し込んでいるだけなので、この調整ネジ３３を右に回すと相対的にガイドレール９の下縁フランジ４１に向けて係合片３２を突出させその上方に位置させることができる（図１２中右方向）。凸部材１０はガイドレール９の下縁フランジ４１の先端に当接して位置規制されているため、係合片３２を突出させた脱落防止材１１の移動に関する自由度は低く、下縁フランジ４１との重合関係は解除されないので、通常使用でガイドレール９から凸部材１０が抜け落ちて戸板２，３が外れる虞れがなくなる。
【００４１】
本発明の戸板取付具１は、戸板２，３の上端面６に対して旋回ピン８を枢着できればよく、取付部１６として戸板２，３の上端面６に嵌合する取付基部は必須ではない。例えば、図１３に見られるように、戸板２の上端面６から裏面にかけて側面視Ｌ字状片の取付補助部６５を添設し、ピン基部１８を短尺の旋回ピン６６の螺合により前記取付補助部６５の上端面側に軸着してもよい。
【００４２】
これにより、例えば中実な木製戸板に特別な加工を施さなくても本発明の戸板取付具１を取り付けることができるようになり、例えば木製戸板からなる開き戸の扉開閉装置（図１３参照）を構成できるようになる。本例の取付補助部６５は、木ネジ６７を用いて戸板２，３に固着しているため、ネジ止め等を不要にして取付作業を容易にする上述の例（図１以下参照）の利点は失われるが、戸板側に取付基部を嵌合させるための加工を施したり軸孔を直接穿設したりせずに済むため、凸部材１０をガイドレール９へ容易に嵌入する利点を、多様な戸板に提供できる別効果が得られる。
【００４３】
開き戸の扉開閉装置を構成するには、上述の例（図１以下参照）と全く同じ構造の戸板取付具１を戸板２の上端面６側の側端部に枢着する。戸板２は、図５に見られるように、裏面側に位置する戸板取付具１の案内部１３を、前記ガイドレール９に締着した固着補助具１４に嵌入して拘束し、下端面を開口部５側縁下端位置に固着する旋回受具１５により軸支して取り付けて、旋回可能にする。すなわち、上述の折戸の扉開閉装置の例の固定側の戸板２と全く同じ構造にすればよい。
【００４４】
これは、折戸及び開き戸の違いなく、部材を共通化できることを意味する。これにより、製品コストを引き下げることができるほか、同一建物内で折戸と開き戸を建て付ける場合の部材管理や取り付けの手間を大幅に減らすことが可能となる。
【００４５】
【発明の効果】
本発明により、戸板への取付に際しては工具を不要とするほど取付作業を容易にし、建物の開口部へ簡単に戸板を取り付けることのできる戸板取付具を提供できるようになる。これは、通常旋回範囲外でのみ戸板側の軸孔へ抜き差し自在な旋回ピンからなる取付部の構成と、上方に向けて付勢して弾支した凸部材を設けた案内部の構成とに負う。特に、凸部材の構成は、ガイドレールに対する適当な嵌入量を実現し、従来見られた戸板下端面側における旋回受具や戸車での高さ調整を不要にする効果を有する。
【００４６】
具体的には、作業上の改善点として、皿ネジを必要とすることなく戸板に取り付けることができ、現場での取付作業を簡略化する。特に、ドライバーがなくても取付作業ができる利点がある。また、建物の開口部に戸板を取り付ける作業は、重い戸板を持ち上げる必要がなく、更にガイドレールに対して簡単かつ確実に凸部材を嵌入できるため、戸板を落下させるという危険性を招く虞れも解消する効果がある。
【００４７】
次に、構造上の改善点として、ガイドレールに対する凸部材の嵌入量の調整が不要となる利点がある。凸部材は、上方に付勢したことにより弾支した状態にあり、ガイドレールの高さに応じて自律的に嵌入量を調整できる。また、こうした凸部材を構成することで、戸板自体の高さ調整を戸板取付具で図ることができ、従来のように戸車に複雑な高さ調整手段を設けなくてよくなる効果をもたらす。このように、本発明の戸板取付具は、作業上及び構造上の改善点をもたらす効果を有する。
【図面の簡単な説明】
【図１】本例の戸板取付具を取り付けた固定側及び移動側の戸板からなるアウターセット形の折戸を建物の開口部に取り付けた扉開閉装置の側面図である。
【図２】同扉開閉装置の折戸を閉じた状態を表した平面図である。
【図３】同扉開閉装置の折戸を開いた状態の上端面側を表した平面図である。
【図４】同扉開閉装置の折戸を開いた状態の下端面側を表した平面図である。
【図５】固定側の戸板に取り付けた戸板取付具の正面図である。
【図６】移動側の戸板に取り付けた戸板取付具の側面図である。
【図７】図６中Ａ−Ａ断面図である。
【図８】戸板取付具の分解斜視図である。
【図９】戸板取付具の戸板に対する取付関係を表した分解斜視図である。
【図１０】戸板の開閉操作と旋回ピンとの関係（ａ）戸板取付具装着時、（ｂ）折戸閉鎖時及び（ｃ）折戸開放時それぞれを表した断面図である。
【図１１】ガイドレールに戸板取付具の凸部材を嵌入させているところの状態を表した断面図である。
【図１２】ガイドレールに戸板取付具の凸部材から脱落防止材を突出させた状態を表した断面図である。
【図１３】別例の取付部を用いて開き戸に取り付けた戸板取付具の戸板に対する取付関係を表した分解斜視図である。
【符号の説明】
１  アウターセット形の折戸用戸板取付具
２  固定側の戸板
３  移動側の戸板
４  折戸
５  建物の開口部
６  戸板の上端面
８  旋回ピン
９  ガイドレール
１０  凸部材
１１  脱落防止材
１３  案内部
１６  取付部
１７  取付基部
１８  ピン基部
【図１】
2004270380.tif 000003
【図２】
2004270380.tif 000004
【図３】
2004270380.tif 000005
【図４】
2004270380.tif 000006
【図５】
2004270380.tif 000007
【図６】
2004270380.tif 000008
【図７】
2004270380.tif 000009
【図８】
2004270380.tif 000010
【図９】
2004270380.tif 000011
【図１０】
2004270380.tif 000012
【図１１】
2004270380.tif 000013
【図１２】
2004270380.tif 000014
【図１３】
2004270380.tif 000015